(57)【特許請求の範囲】
【請求項１】
電池を電源として使用する移動体電話機において、
電池電圧が所定電圧に低下したことを検出する手段と、
この手段により電池電圧の低下が検出されたときにその旨を使用者に通知する手段と、
電池電圧低下後に使用できる電話機動作機能を選択する手段と、
この手段で選択された動作機能を記憶する手段と、
前記検出手段で電池電圧の低下が検出されたとき、前記選択手段で選択され前記記憶手段で記憶された動作機能で電話機を動作可能にする手段とを具備し、
前記選択手段は、選択できる電話機動作機能を表示部に表示させた状態でキー操作により所望の動作機能を選択することを特徴とする移動体電話機。
【請求項２】
選択手段は、電話機の一部動作機能、制限された動作機能、あるいは通常動作機能を選択できることを特徴とする請求項１に記載の移動体電話機。
【請求項３】
通話中に電池電圧が所定電圧に低下したときは、通話中切断処理が行われた後、機能選択モードとなり、あるいは既に選択された動作機能で動作可能となることを特徴とする請求項１に記載の移動体電話機。
【請求項４】
情報入力中に電池電圧が所定電圧に低下したときは、既に入力された情報が保存された後、機能選択モードとなり、あるいは既に選択された動作機能で動作可能となることを特徴とする請求項１に記載の移動体電話機。
【発明の詳細な説明】
【０００１】
【発明の属する技術分野】
本発明はＰＨＳ（パーソナルハンディフォンシステム）電話機や携帯電話機などの移動体電話機に係り、特に電源として使用される電池の電圧低下時の電話機機能に関する。
【０００２】
【従来の技術】
移動体電話機は使用者が携帯して使用するため、電源としてはリチュウムイオン電池などの電池が使用されている。この電池は充電可能であるが、勿論電話機の使用時間の増大に伴い電圧が低下する。電池の電圧が低下すると、例えば電話機の動作が不安定になる。
【０００３】
そこで、従来は、電池電圧をＡ／Ｄコンバータなどでモニタし、電池電圧がある一定電圧以下になると、使用者に対して低電圧であることをアラームや表示などで知らせるとともに強制的に電話機の電源を切断している。
【０００４】
【発明が解決しようとする課題】
しかし、電池の低電圧検出後に電話機の電源が直ぐに切断されてしまっては、その後電話機を使用できず非常に不便なことはいうまでもない。
【０００５】
従来技術の他の例として、特開平３−１４５３４２号公報および特許第２６８７７２号公報（特開平５−４８５１５号公報）に開示される技術がある。これらは無線選択呼出受信機であるが、電源として使用される電池の電圧が低下したとき、残りの電池電圧で受信情報をバックアップしようとするものである。
【０００６】
しかし、移動体電話機の使用者によっては、電池電圧が低下したとき情報のバックアップも重要であるが、それよりは回数や通話時間が制限されても発信を優先させたい場合などがあり、上記従来技術では移動体電話機使用者の多様な要望に答えられない。
【０００７】
本発明は上記の点に鑑みなされたもので、電池電圧低下後に使用できる電話機機能を使用者が選択することができるので、移動体電話機使用者の多様な要望に答えることができ、かつ使用できる電話機機能を選択して限定することにより、電池電圧低下後の電話機使用可能時間を延ばすことができ非常に便利になる移動体電話機を提供することを目的とする。
【０００９】
【課題を解決するための手段】
本発明の移動体電話機は、電池を電源として使用する移動体電話機において、電池電圧が所定電圧に低下したことを検出する手段と、この手段により電池電圧の低下が検出されたときにその旨を使用者に通知する手段と、電池電圧低下後に使用できる電話機動作機能を選択する手段と、この手段で選択された動作機能を記憶する手段と、前記検出手段で電池電圧の低下が検出されたとき、前記選択手段で選択され前記記憶手段で記憶された動作機能で電話機を動作可能にする手段とを具備し、前記選択手段は、選択できる電話機動作機能を表示部に表示させた状態でキー操作により所望の動作機能を選択することを特徴とする。
【００１０】
この本発明の移動体電話機において、選択手段は、電話機の一部動作機能、制限された動作機能、あるいは通常動作機能を選択できる。本発明の移動体電話機においては、通話中に電池電圧が所定電圧に低下したときは、通話中切断処理が行われた後、機能選択モードとなり、あるいは既に選択された動作機能で動作可能となる。一方、情報入力中に電池電圧が所定電圧に低下したときは、既に入力された情報が保存された後、機能選択モードとなり、あるいは既に選択された動作機能で動作可能となる。
【００１１】
【発明の実施の形態】
次に添付図面を参照して本発明による移動体電話機の実施の形態を詳細に説明する。図２は本発明の移動体電話機の実施の形態を示すブロック図である。この図において、１は電話機全体を制御するＭＰＵであり、マイクロコンピュータ（以下ＣＰＵと言う）１ａと、ＲＯＭ１ｂと、ＲＡＭ１ｃと、クロック源１ｄと、Ｉ／Ｏポート１ｅとにより構成される。ＣＰＵ１ａは、クロック源１ｄから供給されるクロックに同期して、ＲＯＭ１ｂに格納されている動作処理手順を規定するプログラムに従って指定された処理を、ＲＡＭ１ｃに格納された情報や他部からのデータ、信号を用いて実行する。ＣＰＵ１ａはＩ／Ｏポート１ｅを介して他部と接続され、信号やデータの授受がなされる。
【００１２】
キー２は電話番号入力、各種動作モードの設定等を行う。表示部３はＬＣＤで構成され、各種情報や電話機の状態を表示する。振動モータ４は、着信時、あるいは発呼時の成功およびエラー発生時などに動作し振動し、それらを知らせる。ＲＦ送受信回路５は、アンテナ１０から受信された信号を増幅および周波数変換してベースバンドＩＣ（以下ＢＢＩＣと称す）に復調用信号を出力する受信回路と、ＢＢＩＣからの音声変調信号を増幅および周波数変換してアンテナ１０に送信信号として出力する送信回路とからなる。ＢＢＩＣ６はＣＰＵ１ａにより制御され、音声信号やＲＦ信号を変復調する。ＢＢＩＣ６の出力である音声信号はＡＦ回路７で増幅され、スピーカ８を駆動する。一方、マイク９からの音声信号は、ＡＦ回路７で増幅された後ＢＢＩＣ６に入力されて変調され高周波信号となり、ＲＦ送受信回路５を介してアンテナ１０より電波として輻射される。リンガ１１は、着信時およびキー操作時などに鳴動し、それらを知らせる。
【００１３】
電池１２はリチウムイオン電池などの充電可能な電池であり、上記各部に電源電圧を供給する。この電池１２の電圧を検出するように電圧検出部１３が設けられており、この電圧検出部１３の出力データは前記Ｉ／Ｏポート１ｅを介してＣＰＵ１ａに供給される。電池１２は充電端子１２ａ，１２ｂに接続される。
【００１４】
上記のように構成された移動体電話機においては、電池１２の電圧低下後に使用できる電話機機能を使用者が選択することができ、電池１２の電圧低下後は選択された機能で電話機が動作可能となる。この点を以下図１のフローチャートを参照して詳細に説明する。
【００１５】
図２の移動体電話機では、電池１２の電圧が電圧検出部１３により検出されており、電圧検出部１３の出力データはＩ／Ｏポート１ｅを介してＣＰＵ１ａに供給されている。したがって、電池１２の電圧が所定の低電圧に低下すると、ＣＰＵ１ａは電圧検出部１３からの出力データにより図２のステップＳ１で示すように電圧低下（低電圧）を検出する。すると、ＣＰＵ１ａはステップＳ２に進んで現在通話中か判断し、もし通話中ならばリンガ１１を鳴動させて電池１２の電圧が所定電圧に低下したこと（以下低電圧検出という）を使用者に通知し（ステップＳ３）、その後例えば数秒後に通話中切断処理（ステップＳ４）を実行する。そして、その後、ステップＳ５に進んでＣＰＵ１ａは電池電圧低下後の機能選択が使用者により既に実施されているか判断し、もし機能選択が行われていなければステップＳ６の“機能選択画面”とする。“機能選択画面”では、ＣＰＵ１ａは、ＲＡＭ１ｃに記憶されている、電池電圧低下後に使用できる電話機機能をＲＡＭ１ｃから読出して表示部３に表示させた状態で、キー２の操作により前記電話機機能のなかから所望の機能を選択できるようにする。
【００１６】
ＲＡＭ１ｃには、例えば下記の各機能が記憶されている。
【００１７】
１．電話帳読出し・登録
２．メール等の文字メッセージの作成・保存
３．メール等の文字メッセージの読出し
４．メール等の文字メッセージの作成・保存・送信
５．発信のみ（回数や通話時間が制限される）
６．音声メモの録音・再生
７．時計
８．リダイヤル・着信履歴表示
９．通常動作（通常機能）
“機能選択画面”になると、上記の各機能がＲＡＭ１ｃから読出されて表示部３に表示される。このとき、表示部３のサイズの関係で１〜９の全ての機能を１度に表示部３に表示することはできないから、切替えまたはスクロールで全ての各機能を表示部３に表示させる。また、機能名の文字数が多い場合は省略表示なども利用する。そして、この表示部３の表示を見ながら、上記１〜９のうち希望の機能の数字に対応する数字キー２を使用者が操作することにより、希望の機能が選択される。いま、「１」の数字キー２を操作すれば、「電話帳読出し・登録」の機能が選択され、「５」の数字キー２を操作すれば、回数や通話時間が制限されるが「発信のみ」の機能が選択される。また、「９」の数字キー２を操作すれば、電池電圧が直ぐになくなる恐れがあるが、全機能が制限なく動作する「通常動作（通常機能）」が選択される。尚、発信／着信動作処理や文字メッセージ（メール）送信処理は、非常に電池消耗が早い（消費電力大）ことは言うまでもなく、回数や通話時間に大きく制限を加えるものである。
【００１８】
そして、選択された機能はＣＰＵ１ａによりＲＡＭ１ｃに記憶される。したがって、電池電圧低下後は、ＣＰＵ１ａの制御の下、前記選択された機能で移動体電話機は動作可能となる（ステップＳ７）。
【００１９】
一方、前記ステップＳ５で既に機能選択が前記のようにして行われているとＣＰＵ１ａが判断すると、ステップＳ６の代わりにステップＳ８に進んで既に選択されている機能の“確認”となる。この“確認”においては、既に選択された機能がＲＡＭ１ｃから読出されて表示部３に表示される。そして、この表示部３の表示を見て既に選択された機能でよい場合は、承認キー２を操作することにより、ステップＳ９に進んで既に選択された機能で電池電圧低下後は動作可能となる。一方、ステップＳ８で表示部３に表示された既に選択された機能と異なる機能を選択したい場合は、不承認キー２を操作する。すると、ステップＳ８の後、前述したステップＳ６の“機能選択画面”となって前記のように新規に機能を選択することができ、その後、ステップＳ７に進んで、電池電圧低下後は新規に選択された機能で動作可能となる。
【００２０】
以上は電池電圧が所定の低電圧に低下したとき、ステップＳ２で通話中と判断された場合であるが、ステップＳ２で通話中と判断されないときは、ステップＳ２の後、ステップＳ１０に進んでメール等の文字メッセージの作成中か判断される。そして、ステップＳ１０で文字メッセージ作成中ではないと判断されると、ステップＳ１１に進んで低電圧検出を使用者に通知した後、前述したステップＳ５に進んで電池電圧低下後の機能選択が既に行われているか判断される。そして、その後、前述したように、ステップＳ６で機能選択、あるいはステップＳ８で既選択機能の確認が行われ、既選択機能を新規機能に変更する場合はステップＳ６で新規機能の選択が行われた後、それぞれ選択された機能で電池電圧低下後は動作可能となる（ステップＳ７，Ｓ９）。
【００２１】
一方、ステップＳ１０で文字メッセージ作成中と判断されると、ステップＳ１１の代わりにステップＳ１２に進んで使用者に低電圧検出が通知された後、ステップＳ１３に進んで作成中の文字メッセージの保存（ＲＡＭ１ｃに保存される）と終了が自動的に行われ、その後、前述したようにステップＳ５に進んで電池電圧低下後の機能選択が既に行われたか判断された後、ステップＳ６で機能選択、あるいはステップＳ８で既選択機能の確認が行われ、既選択機能を新規機能に変更する場合はステップＳ６で新規機能の選択が行われ、それぞれ選択された機能で電池電圧低下後は動作可能となる（ステップＳ７，Ｓ９）。
【００２２】
ここで、文字メッセージ作成中は低電圧検出を使用者に通知した後（ステップＳ１２）、作成中の文字メッセージが自動的にＲＡＭ１ｃに保存されるので（ステップＳ１３）、それまで入力された文字メッセージを無駄にすることがなく、続いてステップＳ６で上記「４．メール等の文字メッセージの作成・保存・送信」を選択すれば、あるいはステップＳ８で「４．メール等の文字メッセージの作成・保存・送信」が選択されていることを確認すれば、電池電圧低下後も文字メッセージを続けて作成して、全体の文字メッセージを送信することができ、非常に便利になる。
【００２３】
なお、上記はメールの文字メッセージの場合であるが、電話帳登録時、あるいはその他の場合においても、電池電圧低下時、それまで入力された情報はＲＡＭ１ｃに自動的に保存される。
【００２４】
そして、以上のように、上記移動体電話機によれば、電池電圧低下後に使用できる電話機機能を使用者が選択することができるので、電池電圧低下後における移動体電話機使用者の多様な要望に答えることができる。例えば電池電圧低下後、電話帳読出し・登録を望む場合はその動作が可能なように、また、回数や通話時間が制限されても発信を望む場合はその動作が可能なように、さらには電池電圧が直ぐになくなる可能性があるが通常動作（通常機能）を望む場合はその動作が可能なように設定できる。また、電池電圧低下後の電話機機能を使用者が選択して限定すれば、消費電流を減らすことができるので、電池電圧低下後の電話機使用可能時間を延ばすこともできる。
【００２５】
【発明の効果】
以上詳細に説明したように本発明の移動体電話機によれば、電池電圧低下後に使用できる電話機機能を使用者が選択することができるので、電池電圧低下後における使い勝手が向上する。
【図面の簡単な説明】
【図１】本発明による移動体電話機の実施の形態の動作を説明するためのフローチャート。
【図２】本発明による移動体電話機の実施の形態を示すブロック図。
【符号の説明】
１ａ  マイクロコンピュータ（ＣＰＵ）
２  キー
３  表示部
１２  電池
１３  電圧検出部
【図１】
0003585100.tif 000002
【図２】
0003585100.tif 000003